(57)【要約】家具の扉（１）用の開放装置は、開放時に弾性的に圧力をかけられる扉（１）用の押し出し部材（１７）と、押し出し部材（１７）用の解除可能な保持手段（１９）と、統御装置と、前記押し出し部材（１７）を並進可能に支持するボックス形状のベース本体（２５）とを含む。前記統御装置は、扉（１）に近接して前記ベース本体（２５）の側面（３０）の前端部に配置され、かつ、前記押し出し部材（１７）の並進方向に対して直交するように向けられた支点（２１）のまわりに揺動可能な前記保持手段用（１９）の作動部材（２０）を含む。扉（１）の揺動に対して保持手段（１９）の変位の増幅手段を有する前記作動部材（２０）は、互いに交差するように配置された第１のアーム（２３）および第２のアーム（２４）を含み、第１のアーム（２３）は、扉（１）によって作動されるように、扉（１）に対して実質的に平行に配置可能であり、第２のアーム（２４）は、前記保持手段（１９）を直接的に、または間接的に作動させるように適合される。
2014510861.tif 000002
【特許請求の範囲】
【請求項１】
少なくとも１つのヒンジ（２）によって揺動可能に支持された家具の扉（１）用の開放装置であって、開放時に弾性的に圧力をかけられる扉（１）用の押し出し部材（１７）と、前記押し出し部材（１７）用の解除可能な保持手段（１９）と、統御装置と、を含む開放装置において、前記押し出し部材（１７）を並進可能に支持するボックス形状のベース本体（２５）を含むことと、前記統御装置は、前記扉（１）に近接して前記ベース本体（２５）の側面（３０）の前端部に配置され、かつ、前記押し出し部材（１７）の並進方向に対して直交するように向けられた支点（２１）のまわりに揺動可能である前記保持手段（１９）用の作動部材（２０）を含み、前記作動部材（２０）は、互いに交差するように配置された第１のアーム（２３）および第２のアーム（２４）を含む、前記扉（１）の揺動に対して前記保持手段（１９）の変位の増幅手段を備え、前記第１のアーム（２３）は、前記扉（１）によって、または前記ヒンジ（２）の要素によって作動されるように前記扉（１）に対して実質的に平行に配置可能であり、前記第２のアーム（２４）は、前記保持手段（１９）を直接的に、または間接的に作動させるように適合されることを特徴とする家具の扉（１）用の開放装置。
【請求項２】
前記作動部材（２０）は、弾性要素（２２）と対照的に、前記弾性要素（２２）の作用により揺動可能であることを特徴とする、請求項１に記載の家具の扉（１）用の開放装置。
【請求項３】
前記作動部材（２０）は、前記ベース本体（２５）の前方に前記第１のアーム（２３）が延在し、前記ベース本体（２５）の側面（３０）に沿って前記第２のアーム（２４）が延在することを特徴とする、請求項１または２に記載の家具の扉（１）用の開放装置。
【請求項４】
前記保持手段（１９）は、前記押し出し部材（１７）の後端部にあるストッパ（３５）と係合可能な歯（３４）を含むことを特徴とする、請求項３に記載の家具の扉（１）用の開放装置。
【請求項５】
前記ストッパ（３５）は、弾性変形する後部壁を有することを特徴とする、請求項４に記載の家具の扉（１）用の開放装置。
【請求項６】
ストッパ（３５）は、前記歯（３４）の係合位置の調整手段を含むことを特徴とする、請求項４または５に記載の家具の扉（１）用の開放装置。
【請求項７】
前記調整手段は、前記歯（３４）が係合可能な前記ストッパ（３５）に設けられた座部（３７）の貫入深さを調整可能なねじ（３８）を含むことを特徴とする、請求項６に記載の家具の扉（１）用の開放装置。
【請求項８】
前記第２のアーム（２４）は、前記第１のアーム（２３）よりも長いことを特徴とする、請求項１〜７のいずれか一項に記載の家具の扉（１）用の開放装置。
【請求項９】
前記第２のアーム（２４）の長さと前記第１のアーム（２３）の長さとの比率は少なくとも５であることを特徴とする、請求項８に記載の家具の扉（１）用の開放装置。
【請求項１０】
前記保持手段（１９）は、前記第２のアーム（２４）の端部に配置されることを特徴とする、請求項９に記載の家具の扉（１）用の開放装置。
【請求項１１】
前記作動部材（２）と前記保持手段（１９）との間にレバー伝達システム（４０、４２）を含むことを特徴とする、請求項１〜８のいずれか一項に記載の家具の扉（１）用の開放装置。
【請求項１２】
前記押し出し部材（１７）は、ラチェット式の解除可能な保持手段を備え、前記揺動可能な作動部材（２０）は、前記押し出し部材（１７）および対応するラチェット式保持手段を変位させて前記押し出し部材（１７）を解放するように、前記増幅手段を介して前記押し出し部材（１７）に動作可能に連結されることを特徴とする、請求項１に記載の家具の扉（１）用の開放装置。
【請求項１３】
前記増幅手段は、前記作動部材（２０）と前記押し出し部材（１７）との間にレバー伝達システム（４０、４２）を含むことを特徴とする、請求項１に記載の家具の扉（１）用の開放装置。
【請求項１４】
前記押し出し部材（１７）の自動リセット装置を含むことを特徴とする、請求項１〜１３のいずれか一項に記載の家具の扉（１）用の開放装置。
【請求項１５】
前記リセット装置は、前記押し出し部材（１７）にあるカム（５２）と相互作用するようにされた第１のレバー（４７）と、前記扉（１）の開放時に、動作中の前記ヒンジの一部分によって作動可能な第２のレバー（４８）と、前記第１のレバー（４７）と前記第２のレバー（４８）との間で運動を伝達する第３のレバー（４９）と含むことを特徴とする、請求項１４に記載の家具の扉（１）用の開放装置。
【請求項１６】
前記家具の固定部分上のヒンジアーム（４）または前記ヒンジの固定ベース（５）に取り付けられる、請求項１〜１５のいずれか一項に記載の開放装置を備えることを特徴とする、家具用のヒンジ（２）。
【請求項１７】
前記家具のうちの前記ヒンジが固定される側、および、請求項１３に記載の少なくとも１つのヒンジの、少なくとも一方に取り付けられる、請求項１〜１１のいずれか一項に記載の少なくとも１つの開放装置を備えることを特徴とする家具。
【発明の詳細な説明】
【技術分野】
【０００１】
本発明は、ヒンジによって揺動可能に支持された家具の扉向けの開放装置用の統御（ｃｏｍｍａｎｄ）装置であって、ヒンジが固定された側で家具に、特に、扉を自動で開放することも、その後閉止することも可能にする自己閉止スラストヒンジのヒンジに、または従来のヒンジにさえも取り付けるのに特に適した、家具の扉向けの開放装置用の統御装置に関する。
【背景技術】
【０００２】
取っ手または他の開放手段のない家具の分野では、使用者が閉ざされた扉を押した後、使用者が扉を把持し、扉を完全に開くのに十分な第１の範囲（ｔｒａｃｔ）で開放方向において扉を変位させる開放手段、の利用は公知である。
【０００３】
特に、弾性的に圧力をかけられる扉用押し出し部材と、押し出し部材を保持する手段とを含む開放装置が従来から設けられ、押し出し部材は通常、使用者側で閉じた扉を押して、押し出し部材を数ミリメートル後退させることで解放可能である。
【０００４】
その動作が行われた後、開放装置は、例えば、扉の閉止移動の最後の範囲で使用者がドアに加えた、押し出し部材に作用する反対方向の圧力によって、または扉自体の移動により作動する特別な再装架手段によって再装架されなければならない。したがって、有利にも、装置は、ヒンジが固定される側であって、ヒンジを取り付け、正しく機能させるために特定の作業を必要とする側とは反対の側で家具に配置される。
【０００５】
開放装置がヒンジに置かれるか、または、ヒンジ側で家具に取り付けられる場合、使用者が閉じたドアに加えた圧力によって生じる、ヒンジ要素またはヒンジ側の扉の移動は、１０分の数ミリメートル程度であり、したがって、押し出し部材の保持手段の解除を可能にするのに必要とされる移動を生じさせるには不十分である。
【０００６】
この種の開放装置を有するヒンジは、例えば、特許文献１により公知である。
特許文献２は、対応する保持手段を有する押し出し部材を含み、扉を揺動させるためのヒンジが装着された側とは反対側で、または、ヒンジが装着された側から離れて、家具の側面に近接して配置された統御装置の移動を保持手段に伝達する伝達装置を設けられた開放装置を開示している。
【先行技術文献】
【特許文献】
【０００７】
【特許文献１】国際公開第２００８／００９３４５号
【特許文献２】独国実用新案第２０２００７００５７８２号明細書
【発明の概要】
【発明が解決しようとする課題】
【０００８】
したがって、本発明の技術的な目的は、先行技術の上記欠点をなくすことができる、ヒンジによって揺動可能に支持された家具の扉向けの開放装置用の統御装置を具現化することである。
【０００９】
技術的課題の領域における本発明の目的は、ヒンジにおける、または、家具のうちのヒンジが取り付けられる側における開放装置の取り付けに特に関連して、１０分の数ミリメートル程度で扉が変位する場合でも、押し出し部材の解放を可能にする、ヒンジによって揺動可能に支持された家具の扉向けの開放装置用の統御装置を提供することである。
【００１０】
本発明のさらなる目的は、性能的に劣化することなく、長期にわたって機能することができる、ヒンジによって揺動可能に支持された家具の扉向けの開放装置用の統御装置を提供することである。
【課題を解決するための手段】
【００１１】
本発明の技術的課題は、少なくとも１つのヒンジによって揺動可能に支持された家具の扉向けの開放装置を具現化することで達成され、前記開放装置は、開放時に弾性的に圧力をかけられる扉用押し出し部材と、押し出し部材用の解除可能な保持手段と、統御装置と、を含み、前記開放装置が、前記押し出し部材を並進可能に支持するボックス形状のベース本体を含むことと、前記統御装置が、扉に近接してベース本体の側面の前端部に配置され、かつ、前記押し出し部材の並進方向に対して直交するように向けられた支点のまわりに揺動可能な、前記保持手段用の作動部材を含み、前記作動部材は、互いに交差するように配置された第１および第２のアームを含む、扉の揺動に対する保持手段の変位の増幅手段を備え、第１のアームは、扉によって、またはヒンジの要素によって作動されるように扉に対して実質的に平行に配置可能であり、第２のアームは、前記保持手段を直接的に、または間接的に作動させるように適合することを特徴とする。
【００１２】
有利にも、本発明の開放装置を用いて扉の揺動を増幅することで、開放装置がヒンジに取り付けられるか、または、家具のうちのヒンジが取り付けられた側に取り付けられた場合にも、少なくとも、押し出し部材を解放するのに十分な範囲で保持手段の変位、場合によっては、押し出し部材の変位が定まる。
【００１３】
本発明の他の特徴が、従属請求項でさらに定義される。
本発明のさらなる特徴および利点が、少なくとも１つのヒンジによって揺動可能に支持された家具の扉向けの開放装置用の統御装置の、好ましいが非排他的な実施形態についての説明から、より完全に明らかになるであろう。
【図面の簡単な説明】
【００１４】
【図１】ヒンジのアームに適用可能な態様の、第１の好ましい実施形態による開放装置を示す分解不等角投影図。
【図１ａ】図１の開放装置の統御装置のベース本体を示す不等角投影図。
【図２】ヒンジ上に組み立てられ、取り付けられた図１の開放装置を示す不等角投影図。
【図３】中心面に沿って切断された、図２の開放装置およびヒンジを示す縦断面図。
【図４】扉が閉じていると想定した構成の図２の開放装置の側面図および拡大詳細断面図。
【図５】図４に示す開放装置の部分断面図。
【図６】使用者が圧力をかけている間で、押し出し部材が解放された瞬間を想定した構成の図２の開放装置の側面図および拡大詳細断面図。
【図７】図６に示す開放装置の部分断面図。
【図８】押し出し部材の引き出しの終わりを想定した構成の図２の開放装置の側面図。
【図９】図８に示す開放装置の部分断面図。
【図１０】押し出し部材がリセットされた構成の図２の開放装置の側面図および拡大詳細断面図。
【図１１】図１０に示す開放装置の部分断面図。
【図１２】本発明の好ましい第２の実施形態の開放装置による、押し出し部材の解放からリセットまでを想定した一連の構成を示す図。
【図１３】本発明の好ましい第２の実施形態の開放装置による、押し出し部材の解放からリセットまでを想定した一連の構成を示す図。
【図１４】本発明の好ましい第２の実施形態の開放装置による、押し出し部材の解放からリセットまでを想定した一連の構成を示す図。
【図１５】本発明の好ましい第２の実施形態の開放装置による、押し出し部材の解放からリセットまでを想定した一連の構成を示す図。
【図１６】ヒンジを家具の固定部分、例えば、家具の受け台に固定するためのベース部に取り付けられた、本発明による開放装置の別の態様を示す図。
【図１７】家具の固定部分、例えば、家具の受け台に取り付けられた、本発明による開放装置の別の態様を示す図。
【図１８】本発明のさらなる好ましい実施形態による開放装置を用いた、押し出し部材の係合した位置から解放された位置までを想定した一連の構成を示す図。
【図１９】本発明のさらなる好ましい実施形態による開放装置を用いた、押し出し部材の係合した位置から解放された位置までを想定した一連の構成を示す図。
【図２０】本発明のさらなる好ましい実施形態による開放装置を用いた、押し出し部材の係合した位置から解放された位置までを想定した一連の構成を示す図。
【発明を実施するための形態】
【００１５】
本発明の様々な好ましい実施形態の等価部分は、同じ数字の参照符号を使用して以下に示される。
図を参照すると、１つまたは複数のヒンジ２によって揺動可能に支持された家具の扉１向けの開放装置用の統御装置が示されている。
【００１６】
ヒンジ２は、扉１に取り付けられたヒンジケース３、家具の固定部分、特に、家具の受け台６に相対する固定ベース部５に取り付けられたヒンジアーム４、およびヒンジケース３をヒンジアーム４に動作可能に連結するロッカーアーム７，８を備える。
【００１７】
公知の方法では、ヒンジ２は、ロッカーアーム７，８をヒンジアーム４にヒンジ式に取り付けるためのピン１０，１１と、ロッカーアーム７，８をヒンジケース３にヒンジ式に取り付けるためのピン１２，１３と、ヒンジアーム４の背部の内側とロッカーアーム８の端部にある駆動カム１６との間に配置され、かつ、扉１の閉止に寄与するのに適した弾性要素１５とを含む。ヒンジ２は、ヒンジケース３の底部の外側に注入された粘性流体に浸漬されたクラッチディスクを有するタイプの、扉１の閉止に対する減速装置１４をさらに含むことができる。
【００１８】
開放装置用の統御装置が、単なる例として上記に説明したヒンジと完全に異なることさえある公知のタイプのヒンジ、特に、ヒンジピンの数量が異なるヒンジと組み合わせることができるのは明らかである。
【００１９】
開放装置は、開放時に弾性要素１８により圧力をかけられる、扉１用の押し出し部材１７と、押し出し部材１７に対する解除可能な保持手段１９とを含む。
有利にも、統御装置は、弾性要素２２と対照的に、弾性要素２２の作用により揺動支点２１のまわりに揺動可能で、扉１の揺動に対する保持手段１９の変位に対する増幅手段を有する保持手段１９用の作動部材２０を含む。統御装置は、作動部材２０の揺動支点２１が扉１に近接して配置可能なように構成されている。
【００２０】
作動部材２０が有する増幅手段は、互いに交差するように配置された第１のアーム２３および第２のアーム２４を含み、第１のアーム２３は、扉１によって、またはヒンジ要素２によって作動されるように扉１に対して実質的に平行に配置することができ、第２のアーム２４は、保持手段１９を直接的に、または間接的に作動させるように適合されている。
【００２１】
統御装置は、押し出し部材１７を並進可能に支持するボックス形状のベース本体２５を含み、一方、押し出し部材１７は、その後端部２６でベース本体２５の後端部にある窓２７から突出し、その前端部２８でベース本体２５の前端部にある窓２９から突出している。
【００２２】
ベース本体２５の前端部は、窓２９の上で、弾性要素２２およびボタン３３を収容する内側座部３２へのさらなる出入り窓３１を有し、ボタン３３は、弾性要素２２と対照的に、弾性要素２２の作用により、押し出し部材１７の変位方向と平行な方向に沿って窓３１を通って並進する。
【００２３】
作動部材２０は、押し出し部材１７の並進方向に対して直交するように向けられた揺動支点２１により、ベース本体２５の側面３０の前端部で回転する。
作動部材２０では、特に、ベース本体２５の前端部の前方向に第１のアーム２３が延在し、ベース本体２５の側面３０に沿って第２のアーム２４が延在している。
【００２４】
第１のアーム２３は、内側でボタン３３と相互作用し、かつ、外側で、扉１の板厚部分から突出したヒンジケース３の縁部５３と（図１〜１４の実施形態の場合）、または扉１の別の部分と（図１５の具現化形態の場合）相互作用するように構成されている。
【００２５】
保持手段１９は、押し出し部材１７の後端部にあるストッパ３５と係合可能な少なくとも１つの歯３４を含む。
ストッパ３５は、可撓性の後部壁または弾性タブ３６を優先的に備える、歯３４用の係合座部３７を含む。
【００２６】
可撓性壁または弾性タブ３６は、扉１の最初の開放ステップで、すなわち、使用者が閉じた扉１を押した場合に、押し出し部材１７が十分前方に並進して、扉１を開いた位置まで押すことができる前に、歯３４が座部３７に戻るのを防止するため、歯３４を解放する助けとなることができる。
【００２７】
ストッパ３５は、歯３４の係合位置の調整手段を備える。歯３４の係合位置の調整手段はねじ３８を含み、ねじ３８の自由端は、歯３４用のストッパとして機能することになる。
【００２８】
ねじ３８は、座部３７への貫入深さを調整することができ、そのため、座部３７内のねじ３８の端部位置が変わることで、歯３４の係合位置が変わる。
歯３４の係合位置を調整できることは、構築公差および／または取付公差、ならびにヒンジの調整を考慮しながら統御装置を設定することを可能にすることから特に有用である。
【００２９】
図１〜１１に示す本発明の好ましい実施形態では、第２のアーム２４は、第１のアーム２３よりも相当に長く、保持手段１９は、第２のアーム２４の端部に直接配置され、特に、作動部材２０および保持手段１９は単一部片で具現化されている。
【００３０】
第２のアーム２４の長さと第１のアーム２３の長さとの比率は、少なくとも５であるのが好ましく、７〜８であるのがより好ましい。
図１２〜１５の好ましい実施形態では、レバー伝達システムが作動部材２０と保持手段１９との間に含まれる。
【００３１】
レバー伝達システムは、特に、ベース本体２５の側面３０に対して４１で回転し、一方の側で作動部材２０と動作可能に係合し、他方の側で、ベース本体２５の側面３０に対して４３で回転し、保持手段１９を示す第２のレバー４２と動作可能に係合する第１のレバー４０よって形成された運動学的連鎖を含む。保持手段１９は、レバー４２を含む単一部片で具現化されるのが好ましい。レバー４０，４２の揺動支点は、作動部材２０の揺動支点２１と平行である。
【００３２】
前に図示したものと比較して、構造的に若干複雑なこの問題解決策は、保持手段１９の変位をより増幅するだけでなく、全体として、統御装置の構造をより頑強にすることができる。
【００３３】
統御装置は、ヒンジアーム４を家具の固定部分に固定するためのプレート５に取り付く横タブ４５を有してもよいし（図１６の実施形態）、またはヒンジ２から、および固定プレート５から離れているが、ヒンジ２が取り付けられる家具の固定部分と常に同じ側に取り付けられるための２つの横タブ４５有してもよい（図１７の実施形態）。両方の場合において、統御装置は、家具の扉を閉じることで使用者によって手動でリセットされる。
【００３４】
統御装置が、ベース本体２５をヒンジアームの背部に留める留めねじ４４によってヒンジ２、特に、ヒンジアーム４に直接取り付けられる場合（図１〜１５の実施形態）、押し出し部材１７を自動的にリセットするために、統合された装置がヒンジ２に組み込まれる。
【００３５】
リセット装置は、押し出し部材１７を引き寄せるための第１のレバー４７と、扉１の開放時に、動作中のヒンジ２の側、特に、ヒンジ２のロッカーアームの一方、好ましくはロッカーアーム７のレバー形状の延長側によって作動可能な第２のレバー４８と、第１のレバー４７と第２のレバー４８との間で動作を伝達する第３のレバー４９とを含む。
【００３６】
第２のレバー４８は、ロッカーアーム７と共有する揺動支点１０を有し、第３のレバー４９は、ロッカーアーム８と共有する揺動支点１１を有し、一方、第１のレバー４７は、ヒンジアーム４の側面に対して５０で回転し、第１のレバー４７の揺動支点は、レバー４８，４９の支点と平行である。
【００３７】
第１のレバー４７は、ヒンジアーム４の背部のスリット５１と交差し、押し出し部材１７の側面の前方位置に設けられたカムまたは当接壁５２と相互作用するのに適した端部を有する。
【００３８】
統御装置は、扉１の板厚部分から突出するヒンジボックス３の縁部５３が、作動部材２０の第１のアーム２３に干渉することができるような位置で、家具の受け台６に取り付けられている。
【００３９】
図１〜１３の実施形態に関連して、統御装置の機能は、簡略的には以下の通りである。
扉１は最初に閉じられており、ヒンジケース３の縁部５３は、作動部材２０の第１のアーム２３に寄りかかり、これは、歯３４がストッパ３５の座部３７内で係合していることを意味する初期位置を示す。
【００４０】
使用者は、閉じた扉１を押し、その結果、ヒンジケース３の縁部５３が、作動部材の第１のアーム２３を押し、第１のアーム２３は揺動して、弾性要素２２を圧縮し、さらに、縁部５３が押し出し部材１７も押すのが好ましい。
【００４１】
作動部材２０の揺動は、歯３４を移動させて座部３７を十分に離すように、（図１〜１１の実施形態の場合は直接的に、または図１２〜１５の実施形態の伝達システムを介して間接的に）歯３４に伝達される。
【００４２】
ケース３の縁部５３が押し出し部材１７も押して、押し出し部材１７を後退させる場合、弾性要素１８の作用が解除されるため、壁３６が単に歯３４に寄りかかられるだけになり、座部３７からの歯３４の遊離を容易にする。
【００４３】
歯３４が座部３７から離れると、押し出し要素１７は、弾性要素１８の伸長効果によって前方に動き、扉１を開く第１のステップを引き起こすことができる。
このステップ１ａ中に、歯３４の遊離効果により、座部３７の壁３６が弾性で復帰することで、押し出し要素１７が並進して扉１を押し開く前に歯３４が座部３７内に戻るのが阻止される。
【００４４】
扉１を開く第１のステップと同時に、弾性要素２２は自由に伸長し、ボタン３３を用いて作動部材２０をその最初の位置に再度引き寄せる。
扉１の開放ステップ中に、レバー４７およびカム５２は相互作用しない。統御装置のリセットは、使用者によって行われる扉１の次の開放ステップ中に起こる。
【００４５】
扉１の開放を完了するこのステップ中に、ロッカーアーム７は、その揺動効果により、立て続けにレバー４８、レバー４９、およびレバー４７を含む運動学的連鎖を作動させ、このとき、レバー４７はカム５２と相互作用して、押し出し部材１７を後退させる。
【００４６】
押し出し部材１７の後退中に、ストッパ３５は、傾斜壁５４で歯３４の進行を止め、そしてその結果、歯３４は、初めにストッパ３５の傾斜壁５４に沿って滑りながら移動する。
【００４７】
歯３４の変位は、圧縮される弾性要素２２とは対照的に、作動部材２０の揺動を直接的に、または間接的に引き起こす。
押し出し部材１７の後退が進行しているときに、歯３４は、ストッパ３５の傾斜壁５４および弾性壁を越え、したがって、弾性要素２２の伸長効果により、座部３７内に戻ることができて、リセットレバー４７がその動作を終えたときに、再度弾性壁３６に寄りかかる。
【００４８】
図１８〜２０において、本発明の開放装置用の統御装置のさらなる実施形態が示されており、この実施形態では、押し出し部材１７には、公知のタイプであるラチェットタイプの解除可能な保持手段が設けられている。
【００４９】
従来から、機能するために数ミリメートル程度の変位を必要とするラチェットタイプの保持手段は、押し出し部材１７の進行阻止位置と解放位置との間を選択的に移動する保持要素用のスライドトラックを含む。
【００５０】
この場合に、揺動作動部材２０は、構成要素である押し出し部材１７および対応するラチェットタイプの保持手段を、押し出し部材１７を開放するのに十分なほど変位させるように適合された増幅手段を介して、押し出し部材１７に動作可能に連結されている。
【００５１】
特に、変位の増幅手段は、作動部材２０と押し出し部材１７との間に配置されたレバー伝達システム４０，４２を含み、レバー４２は、押し出し部材１７の後端部２６に設けられた壁に寄りかかった、図１８に示す第１の位置と、押し出し部材１７と係合していない、図１９および図２０に示す、回転した第２の位置との間を移動する。
【００５２】
中間レバー４０を介して作動部材２０によって統御されるレバー４２の揺動により、ラチェット機構の保持要素の進行阻止位置から解放位置への変位を可能にするように押し出し部材１７が後退する。
【００５３】
図２０に示すように、押し出し部材１７が解放された後、場合によっては、自動リセット装置により、または使用者が扉に加える作用により、レバー４２が図１８の第１の位置に戻るのを可能にするような量だけ、押し出し部材１７自体が新たに後退するまで、レバー４２は、押し出し部材１７の後端部２６の底部と接して置かれたままである。
【００５４】
本発明の統御装置は、有利にも、ヒンジに配置することができるし、または、扉においてヒンジが配置されたのと同じ側で家具に取り付けることができ、その理由は、保持手段が変位を増幅され得るために、それでもなお、押し出し部材を適切に解放することができるためである。これは、特別な作業を必要としない開放装置の取り付けの簡略化を確実にもたらし、特に、ヒンジまたはヒンジの固定プレートに取り付ける場合に、全体寸法の増加または美観的に望ましくない追加物を制限する。
【００５５】
本明細書で考案された家具の扉向けの開放装置用統御装置は、多数の修正および変形を受けることができ、すべてが発明概念の範囲内に入り、さらに、すべての細部は、技術的に等価の要素によって置き換え可能である。
【００５６】
実際上、材料の使用および寸法は、必要性および最新技術に応じて任意とすることができる。
【図１】
2014510861.tif 000003
【図１ａ】
2014510861.tif 000004
【図２】
2014510861.tif 000005
【図３】
2014510861.tif 000006
【図４】
2014510861.tif 000007
【図５】
2014510861.tif 000008
【図６】
2014510861.tif 000009
【図７】
2014510861.tif 000010
【図８】
2014510861.tif 000011
【図９】
2014510861.tif 000012
【図１０】
2014510861.tif 000013
【図１１】
2014510861.tif 000014
【図１２】
2014510861.tif 000015
【図１３】
2014510861.tif 000016
【図１４】
2014510861.tif 000017
【図１５】
2014510861.tif 000018
【図１６】
2014510861.tif 000019
【図１７】
2014510861.tif 000020
【図１８】
2014510861.tif 000021
【図１９】
2014510861.tif 000022
【図２０】
2014510861.tif 000023
【国際調査報告】
2014510861.tif 000024
2014510861.tif 000025
2014510861.tif 000026